(57)【要約】【課題】アルミニウム製のような重量で硬い材質の軒樋を軒に沿って少ない作業工数で所定の位置に固定できるようにする。【解決手段】上部に凹段部２２を有する軒樋支持部材２と、前面部３１、底面部３２及び後面部３３を備え且つ後面部３３の上部に下向きの凸段部３７ｄを有する吊り片部３７を有する軒樋３により軒樋構成体１を構成し、屋根の軒側端部に沿って軒樋支持部材２を取り付け、軒樋支持部材２の凹段部２２に吊り片部３７の凸段部３７ｄを係合させて軒樋３を軒樋支持部材２に支持させて仮留めする。仮留めした状態で軒樋３の固定位置を調整し、吊り片部３７と軒樋支持部材２の重合面部を固着具で留め付けて軒樋３を軒に取り付ける。【選択図】図１
2014169598.tif 000002
【特許請求の範囲】
【請求項１】
上部に凹段部を有する軒樋支持部材と、
前面部、底面部及び後面部を備えて略々Ｕ字断面形状に形成されていて前記後面部の上部に前方折れ部と上方折れ部と後方折り返し部とを連ね且つ後方折り返し部の面内に下向きの凸段部を設けてなる吊り片部を有する軒樋とを備え、
屋根の軒側端部に沿って取り付けられた軒樋支持部材の凹段部に前記吊り片部の凸段部を係合させて軒樋支持部材に軒樋が支持され、且つ吊り片部と軒樋支持部材の重合面部を固着具で留め付けて、軒樋が軒に取り付けられた構成を有することを特徴とする軒樋構成体。
【請求項２】
前面部、底面部及び後面部を備えて軒樋の内面に重ね合わさる形状に形成された内継手を備え、端部同士を突き合わせた前記軒樋の内面に前記内継手を両端部間に跨るように重ねて接着することにより前記軒樋の端部同士を接続した構成を有する請求項１に記載の軒樋構成体において、
前記軒樋の後面部と吊り片部の間に前方屈曲部と前方屈曲部の端部から上方へ折れた受け面部が設けられ、前記内継手の後面部の上部には前方折れ部を介して上方へ折れた取り付け面部が設けられ、
軒樋の両端部の継ぎ目部分に嵌め入れられた内継手の取り付け面部が軒樋の受け面部に重ね合わさり、且つ取り付け面部と受け面部の重合面部を固着具で鼻隠しに留め付けて、内継手が軒樋とともに軒に固定された構成を有することを特徴とする軒樋構成体。
【請求項３】
軒樋の受け面部がその後面部に対して略平行に設けられ、内継手の取り付け面部がその後面部に対して適宜な角度で傾斜するように設けられた構成を有することを特徴とする請求項２に記載の軒樋構成体。
【請求項４】
軒樋の前面部及び底面部の一部の内面に重ね合わさる前側継手片と、軒樋の底面部の他部及び後面部の内面に重ね合わさる後側継手片をヒンジ連結して内継手が構成された請求項２又は３に記載の軒樋構成体。
【請求項５】
前側継手片の底面部の上面端部に当該継手片の幅方向に沿って伸びた軸部が設けられ、後側継手片の底面部の上面端部に軸受け部が設けられ、前側継手片の軸部を後側継手片の軸受け部に側方から係入させて内継手が構成された請求項４に記載の軒樋構成体。
【発明の詳細な説明】
【技術分野】
【０００１】
本発明は、家屋の軒先に軒樋を取り付ける構造に係り、軒樋吊り具に代えて軒樋支持部材を軒先に取り付けて軒樋を固定する構造のものに関する。
【背景技術】
【０００２】
家屋の軒先に軒樋を取り付けるにあたり、軒の前面に複数の軒樋吊り具を所定の間隔を開けて設置し、軒樋の前後両面部を各軒樋吊り具に係合させて取り付けることが従来から行われている（例えば特許文献１参照）。
また、軒樋の端部同士を接続する内継手として、内継手の底面部にその幅方向に沿って筋状に伸びた屈折部を設け、この屈折部に沿って内継手を前後方向に屈曲することで、幅狭な軒樋の上部開口から軒樋内部に内継手を挿入設置することができるようにした構成のものが知られている（例えば特許文献２参照）。
【先行技術文献】
【特許文献】
【０００３】
【特許文献１】特開平９−８８２７３号公報
【特許文献２】実開平５−９６２５７号公報
【発明の概要】
【発明が解決しようとする課題】
【０００４】
アルミニウム製の樋は、強度が高く耐久性に優れるものの合成樹脂製のものと比べて高価であり、これまで主に公共施設や商業施設、マンションなどの大規模建物の雨水排水用竪樋などとして使用されていたが、近時、アルミ素材の持つ質感が醸し出す意匠性に着目して戸建て住宅の軒樋への使用も検討されつつある。
【０００５】
かかるアルミ軒樋は、合成樹脂製の軒樋と同様に軒樋吊り具を用いて設置することが可能であるが、軽量で弾性を有する合成樹脂製の軒樋と異なり、アルミ軒樋は合成樹脂製のものよりは重くて硬いため、これを複数の軒樋吊り具に係合させただけでは設置位置に安定的に保持することできない。アルミ軒樋を軒樋吊り具で吊下げただけでは、強風時に軒樋が軒にぶつかって衝撃音を発したり、軒樋吊り具から取り外れたりする虞がある。設置位置に確実に固定するために各軒樋吊り具に軒樋をネジ留めしたのでは、設置に要する作業工数が多大となる。
【０００６】
軒樋吊り具を用いずに、アルミ軒樋を直に軒に固定すれば軒樋吊り具を取り付ける作業が不要となって部品点数も減るが、その反面、軒樋の固定作業にあたり事前に軒樋の固定位置を精密に特定しておかなければならず、また、軒樋を固定位置に水平に支持する者と軒樋をネジ留めする者とが共同で作業する必要があるため、作業工数は多くならざるを得ない。アルミ軒樋は重量なため、一人の作業者では、これを軒に沿って支持しながら固定操作することはできない。
【０００７】
また、アルミニウム製の樋の連結は、従来、樋の継ぎ目部分に外継手が被さっていたのでは意匠性が低下することから、継ぎ目部分が見え難い内継手を用い、工場組付けにより圧入機で内継手を樋の開口端部内に圧入嵌合して行い、所定長に加工した樋を施工現場に移送するようにし、施工現場において樋の接続作業は行われていなかった。アルミ軒樋を戸建て住宅で使用する場合に、工場組付けによって住宅に取り付ける長さに加工したのでは施工コストが嵩むことから、住宅の施工現場で軒樋同士を簡易な作業で接続できるようにする必要がある。
【０００８】
内継手として前記底面部の幅方向に屈折部を備えた形態のものを用いれば、アルミ軒樋の上部開口が幅狭であっても、内継手の外周面に塗布した接着剤を削ぎ落とすことなく軒樋の端部同士の継ぎ目部分の内側に挿入設置することが可能である。
しかし、アルミ軒樋のような長尺な部材を押し出し成形する場合、必ず成形ロットによってその端部の内周面の寸法にバラツキが生じることから、軒樋の端部内周面に沿って内継手の外周面がぴったりと嵌るように形成することは困難である。
軒樋の端部内周面と内継手の外周面の間の隙間が大きいと、両周面の接着が不十分となって水密性が確保できなかったり、継ぎ目部分がガタついたりし、或いは軒樋と内継手の接続位置がずれて軒樋が曲がって接続してしまったりすることがある。
よって、軒樋の端部内周面間の隙間ができる限り小さくなるように、内継手を軒樋内部に圧入し、且つ圧入位置に強固に保持して、内継手が軒樋の端部同士の継ぎ目部分に、水密性を確保して確実に固定されるようにする必要がある。
【０００９】
本発明は従来技術の有するこのような問題点に鑑み、アルミニウム製のような重量で硬い材質の軒樋を軒に沿って少ない作業工数で所定の位置に固定できるようにすること、及び建物の施工現場における簡易な作業で前記軒樋の端部同士を正確且つ堅牢に接続できるようにすることを課題とする。
【課題を解決するための手段】
【００１０】
前記課題を解決するため本発明の軒樋構成体は、上部に凹段部を有する軒樋支持部材と、前面部、底面部及び後面部を備えて略々Ｕ字断面形状に形成されていて前記後面部の上部に前方折れ部と上方折れ部と後方折り返し部とを連ね且つ後方折り返し部の面内に下向きの凸段部を設けてなる吊り片部を有する軒樋とを備え、屋根の軒側端部に沿って取り付けられた軒樋支持部材の凹段部に前記吊り片部の凸段部を係合させて軒樋支持部材に軒樋が支持され、且つ吊り片部と軒樋支持部材の重合面部を固着具で留め付けて、軒樋が軒に取り付けられた構成を有することを特徴とする。
【００１１】
前記軒樋構成体の施工は、先ず、軒樋支持部材を、その凹段部が軒の前方へ突出するように配置して、軒に沿って取り付ける。次いで、軒樋の吊り片部に設けた凸段部を軒樋支持部材の凹段部に係合させて軒樋を軒樋支持部材に支持させ、軒に沿って軒樋を仮留めした状態で固定位置を調整する。固定位置の調整は、軒樋を軒樋支持部材に沿ってスライドさせて行う。そして、固定位置を特定したならば、軒樋の吊り片部と軒樋支持部材の重合面部をドリルネジや留めネジ、ビスなどの固着具で留め付けることにより、軒樋が軒に沿って取り付けられる。
これによれば、予め軒に取り付けた軒樋支持部材に軒樋を支持させて仮留めしておくことができるので、軒樋を仮留めした状態でその固定位置の調整が可能であり、軒樋を複数人の作業者で支持することは不要であり、一人の作業者により仮留めした軒樋を正確な取り付け位置に固定することができる。
【００１２】
前記構成の軒樋構成体において、軒樋の端部同士の接続は、前面部、底面部及び後面部を備えて軒樋の内面に重ね合わさる形状に形成された内継手を用い、端部同士を突き合わせた前記軒樋の内面に前記内継手を両端部間に跨るように重ねて接着することにより行うことができる。この場合に、軒樋の後面部と吊り片部の間に前方屈曲部と前方屈曲部の端部から上方へ折れた受け面部を設け、内継手の後面部の上部には前方折れ部を介して上方へ折れた取り付け面を設け、軒樋の両端部間の継ぎ目部分の内面に嵌め入れた内継手の取り付け面部が軒樋の受け面部に重ね合わさり、且つ取り付け面部と受け面部の重合面部を固着具で鼻隠しに留め付けて、内継手が軒樋とともに軒に固定されるように構成することが好ましい。
これによれば、軒樋の両端部間の内面に嵌め入れた内継手を、軒樋とともに鼻隠しに留め付けて固定することにより、内継手が軒樋の端部継ぎ目部分の嵌入位置に保持されるので、継ぎ目部分がガタついたり接続位置がずれたりすることはなく、内継手の外周面に設けたシール材や接着剤、或いは充填したコーキング剤により、軒樋内周面との隙間を密閉して、高い水密性を確保して軒樋の両端部を固着することができる。
【００１３】
この場合、軒樋の受け面部をその後面部に対して略平行に設ける一方、内継手の取り付け面部をその後面部に対して適宜な角度で傾斜するように設けておけば、内継手の取り付け面部と軒樋の受け面部に固着具を挿通して鼻隠しに留め付ける際に、固着具の締め付け強度（留め付け深さ）に応じて、内継手の軒樋内周面への圧入強度を調整することができる。
例えば軒樋の端部内周面と内継手の外周面の間の隙間が大きいときには前記固着具の締め付け強度を大きくするなどして内継手の圧入強度を適宜に設定することで、軒樋の端部の寸法のバラツキによる内継手の外周面との間のクリアランスを吸収し、軒樋の継ぎ目部分の内面に水密性を確保して内継手を確実に接着固定することが可能となる。
【００１４】
また、前記構成の軒樋構成体において、軒樋がその上部開口が幅狭な形態のものであっても内継手を軒樋内部に容易に嵌め入れることができるように、内継手は、軒樋の前面部及び底面部の一部の内面に重ね合わさる前側継手片と、軒樋の底面部の他部及び後面部の内面に重ね合わさる後側継手片をヒンジ連結した構成のものを用いることができる。
さらに、内継手は、前側継手片の底面部側の上面端部に当該継手片の幅方向に沿って伸びた軸部が設けられ、後側継手片の底面部側の上面端部に軸受け部が設けられ、前側継手片の軸部を後側継手片の軸受け部に側方から係入させて両継手片がヒンジ連結した構成のものでもよい。
【００１５】
なお、本発明の軒樋構成体は、アルミニウム製のような重量で硬い材質の軒樋を軒に沿って取り付ける場合に特に効果的であるが、各部材の材質はアルミニウムに限定されず、合成樹脂など他の材質のものにも適用が可能である。各部材の材質がアルミニウムの場合、部材同士の連結や軒への固定に用いる固着具としてはドリルネジが好適である。
【図面の簡単な説明】
【００１６】
【図１】本発明の一実施形態の軒樋構成体による軒先の施工断面図である。
【図２】図１に示した軒樋支持部材の断面図である。
【図３】図１に示した軒樋の断面図である。
【図４】図１に示した内継手の部材分離状態の側面図である。
【図５】図４の内継手のヒンジ部分を拡大して示した図である。
【図６】図４の内継手を組み付ける状態を示した図である。
【図７】図４の内継手の外観斜視図である。
【図８】（Ａ），(Ｂ)及び（Ｃ）は図１の軒樋構成体の施工手順を説明するための図である。
【図９】軒樋に内継手を挿入設置する操作手順を説明するための図である。
【発明を実施するための形態】
【００１７】
本発明の好適な実施形態を、図面を参照して説明する。
図１は本発明の一実施形態の軒樋構成体による軒先の施工断面を示しており、図中、符号１は軒樋構成体、２は軒樋支持部材、３は軒樋、４は内継手、５は垂木、６は野地板、７は鼻隠し、８Ａ，８Ｂは上部水切りと下部水切り、９は屋根材である。本形態の軒樋構成体１を構成する軒樋支持部材２、軒樋３及び内継手４の各部材はアルミ形材により形成してある。
【００１８】
軒樋支持部材２は、野地板６の端部に沿って取り付けられる長尺な部材であり、図２に示されるように、野地板６の上面と前面に接合する断面Ｌ字形に屈曲した端部被覆面２１を有し、端部被覆面２１の前面に横向きＵ字形に折り返した屈曲面部２２を突出させ、この屈曲面部２２の上部に下向きに凹んだ凹段部２３を設けて形成してある。
【００１９】
軒樋３は、図３に示されるように、前面部３１、底面部３２及び後面部３３を備えて略々Ｕ字断面形状に形成してある。
詳しくは、軒樋３の後面部３３は底面部３２に対して直角に上方に折れ曲がっており、後面部３３の上部には、当該後面部３３の上端から前方へ直角に折れた前方屈曲部３４と前方屈曲部３４の前端から上方へ直角に折れた受け面部３５と受け面部３５の上端から上方斜め前方へ折れた傾斜面部３６とを設け、さらに傾斜面部３６の上部に、前記軒樋支持部材２の凹段部２３に係合する凸段部３７ｄを有する吊り片部３７を設けて形成してある。受け面部３５の上端内面には、内方へ水平に突き出た突片３８を設けてある。
吊り片部３７は、前記傾斜面部３６の上端から前方へ折れた前方折れ部３７ａと前方折れ部３７ａの上面から上方へ折れた上方折れ部３７ｂと上方折れ部３７ｂの上端から後方へ折れた後方折り返し部３７ｃとを連ね、且つ後方折り返し部３７ｃの面内に下向きに突出した凸段部３７ｄを設けた形状としてある。上方折れ部３７ｂの上端であって後方折り返し部３７ｃの反対側には、後方折り返し部３７ｃと面一で適宜な幅で前方へ突出した水切り受け部３７ｅを設けてある。
また、軒樋３の前面部３１の先端部には、後述する内継手４の前面部４１先端の肉厚部４１ａが係合する凹状の折り返し部３１ａを設けてある。
【００２０】
内継手４は、端部同士を突き合わせた軒樋３の両端部内面間に跨って適宜な幅で重合し得る幅を有し、図４に示されるように、軒樋３の前面部３１及び底面部３２の一部の内面にそれぞれ重ね合わさる前側継手片４Ａと、軒樋３の底面部３２の他部及び後面部３３の内面にそれぞれ重な合わさる後側継手片４Ｂをヒンジ連結して構成してある。
詳しくは、前側継手片４Ａは、軒樋３の前面部３１と底面部３２の前側半面にそれぞれ重なる前面部４１と底面部４２ａを有し、底面部４２ａの上面端部にその幅方向に沿って伸びた軸部４４を設けて形成してある。前面部４１の先端には、前記軒樋３の前面部３１の折り返し部３１ａに係合するように、先端が先細りの肉厚部４１ａを設けてある。
また、後側継手片４Ｂは、軒樋３の底面部３２の後側半面と後面部３３にそれぞれ重なる底面部４２ｂと底面部４２ｂに対して直角に上方へ折れ曲がった後面部４３を有し、底面部４２ｂの上面端部に前記軸部４４が係入する軸部受け部４５を設けるとともに、後面部４３の上部に、後面部４３の上端から上方斜め前方へ折れた前方折れ部４６と前方折れ部４６の前端から上方へ折れた取り付け面部４７を設けて形成してある。
前記の通り、軒樋３の受け面部３５はその後面部３３と略平行に設けてあるのに対し、後側継手片４Ｂの取り付け面部４７はその後面部４３に対して適宜な角度θだけ後方へ傾斜するように設けてある（図４参照）。
【００２１】
内継手４は、図５及び図６に示されるように、前側継手片４Ａの軸部４４を後側継手片４Ｂの軸受け部４５に側方から挿入して両継手片４Ａ，４Ｂを一体に組み付けることで構成され、軸受け部４５とその内部に係入した軸部４４とで構成されるヒンジ連結部により、両継手片４Ａ，４Ｂがヒンジ連結部の両側に底面部４２ａ，４２ｂを水平に連ねて連結するとともに、連結状態を維持したまま、ヒンジ連結部を軸として互いに底面部４２ａ，４２ｂの上方に向けて回動することができるように設けてある。
内継手４は、前側継手片４Ａと後側継手片４Ｂをヒンジ連結した状態で、図７に示されるように、その前面部４１、底面部４２及び後面部４３の裏面中央部に沿って適宜な幅でシール材１０を帯状に塗布・接着して軒樋３の端部同士の接続に用いられる。シール材１０は前面部４１、底面部４２（４２ａ，４２ｂ）及び後面部４３の裏面全体に塗布・接着されていてもよい。
【００２２】
これらの部材からなる軒樋構成体１の施工は、例えば以下の作業手順により行うことができる。
図８に示されるように、先ず、軒樋支持部材２を野地板６に端部に沿って取り付ける（同図（Ａ））。
取り付けは、垂木５の下側に取り付けられる下部水切り８Ｂの上端に軒樋支持部材２の屈曲した端部被覆面２１を重ねて野地板６の上面と前面の角部にあてがい、端部被覆面２１の上方からドリルネジ１１を鼻隠し７の上面にねじ込んで行う。野地板６に取り付けられた軒樋支持部材２は、その凹段部２２が軒の縁部に沿って前方へ突出した位置に設置される。
【００２３】
軒に沿って軒樋支持部材２を取り付けたならば、軒樋３を軒樋支持部材２に支持させて仮留めする（同図（Ｂ））。
軒樋３の支持は、軒の前方に持ち上げた軒樋３を、その吊り片部３７が軒樋支持部材２に被さるように操作して、吊り片部３７の凸段部３７ｄを軒樋支持部材２の凹段部２３に係合させることにより行うことができる。軒樋３を軒樋支持部材２に支持させた状態で、軒樋３は、その吊り片部３７の上方折れ部３７ｂが軒樋支持部材２の屈曲面部２２の前面に重合するとともに、後面部３３の前方屈曲部３４との角部と傾斜面部３６とが鼻隠し７の前面に接合する。
軒樋３を軒樋支持部材２に支持させたならば、軒に沿って軒樋３をスライドさせながら固定位置を調整し、固定位置を特定したならば、前記吊り片部３７の上方折れ部３７ｂと軒樋支持部材２の屈曲面部２２との重合面部をドリルネジ１１でねじ込んで一体に接続し、軒樋３を軒樋支持部材２に固定する。吊り片部３７の上方折れ部３７ｂのドリルネジ１１による留め付けは、軒に沿った複数箇所で行われる。
【００２４】
さらに、軒樋３の端部同士を接続するときは、端部を接続する軒樋３，３の一方を軒樋支持部材２に固定し、他方の軒樋３を軒樋支持部材２に支持させた状態で、両軒樋３，３の端部同士を突き合わせ、その継ぎ目部分に内継手４を挿入設置し、両端部の内周面に内継手４の外周面を接着して接続する（同図（Ｃ））。
内継手４の挿入設置操作は、図９に示されるように、内継手４をヒンジ連結部で屈曲させた状態でその前面部４１の先端を軒樋３の折り返し部３１ａに係合させ（矢符Ａ）、その状態で内継手４を下方へ押し込んで底面部４２の外面を軒樋３の底面部３２の内面に重ね合わせ（矢符Ｂ）、さらにヒンジ連結部を軸として内継手４の後面部４３を後方へ回動させて（矢符Ｃ）、後面部４３の外面を軒樋３の後面部３３の内面に重ね合せることにより行われる。
軒樋３，３の両端部の継ぎ目部分に挿入設置された内継手４は、その前面部４１、底面部４２及び後面部４３の外面が軒樋３の前面部３１、底面部３２及び後面部３３の内面に重ね合わさり、且つその前面部４１先端の肉厚部４１ａが軒樋３の折り返し部３１ａに、後面部４３の上端が軒樋３の突片３８にそれぞれ係合して両軒樋３，３の端部内周面に嵌合する。
【００２５】
内継手４を挿入設置したならば、内継手４の取り付け面部４７と軒樋３の受け面部３５との重合部分にドリルネジ１１をねじ込み、内継手４を軒樋３とともに鼻隠し７に固定する。
この際、内継手４の取り付け面部４７がその後面部４３に対して適宜な角度θだけ後方へ傾斜するように設けてあるので、ドリルネジ１１を強く締め付ければ、取り付け面部４７が鼻隠し７側へ押し付けられる方向に変形するのに伴って、内継手４の前面部４１、底面部４２及び後面部４３の全体が軒樋３の内周面に押し付けられて圧入強度が高められ、シール材１０により内継手４の外周面と軒樋３の内周面との隙間を密閉して高い水密性を確保して内継手４を軒樋３の内周面に接着することができる。ドリルネジ１１による内継手４の固定は、内継手４が跨って接着した軒樋３，３の両端部でそれぞれ行われる。内継手４を固定した後、内継手４と軒樋３の内面との継ぎ目部分にコーキング剤を充填してもよい。
【００２６】
軒樋３，３を内継手４で接続したならば、前記軒樋支持部材２に支持させた他方の軒樋３を軒樋支持部材２に固定し、その後、先端を軒樋３の水切り受け部３７ｅに係合させた上部水切り８Ａを野地板６に取り付けて、軒への軒樋３の取り付けが完了する。
なお、接続する軒樋３，３を軒樋支持部材２に支持させた状態で、その両端部を内継手４で一体に接続した後、それぞれの軒樋３，３を軒樋支持部材２にドリルネジ１１で固定するとともに、内継手４を軒樋３，３とともにドリルネジ１１で鼻隠し７に固定してもよい。
【００２７】
なお、図示した軒樋構成体１の各構成部材は本発明の実施形態の一例を示すものであり、本発明はこれに限定されず、軒樋を取り付ける建物の軒の形状や寸法などに応じて、他の適宜な形態で構成することが可能である。
【符号の説明】
【００２８】
１  軒樋構成体、２  軒樋支持部材、２３  凹段部、３  軒樋、３７  吊り片部、３７ｄ  凸段部、４  内継手、４Ａ  前側継手片、４Ｂ  後側継手片、５  垂木、６  野地板、７  鼻隠し、８Ａ  上部水切り、８Ｂ  下部水切り、９  屋根材、１０  シール材、１１  ドリルネジ
【図１】
2014169598.tif 000003
【図２】
2014169598.tif 000004
【図３】
2014169598.tif 000005
【図４】
2014169598.tif 000006
【図５】
2014169598.tif 000007
【図６】
2014169598.tif 000008
【図７】
2014169598.tif 000009
【図８】
2014169598.tif 000010
【図９】
2014169598.tif 000011